(57)【特許請求の範囲】
【請求項１】
平坦なフロント部の両側にツルが折畳み出来るように取付けられたメガネにおいて、概略円形リム又は概略楕円形リムの中心から延びる水平基線に対して下方へ傾斜した傾斜線がリムと交わる位置にブローチを設け、該ブローチにはツルを折畳みする継手を取付けると共に、該継手の軸は上記位置におけるリムの接線と平行とし、そして、上記継手に取付けたツルは折畳まれた状態でフロント部と同一面を成してリムに沿って立ち上がって延び、またツルを開いた状態では正面から見た場合に外側へ傾斜し、ツル先端部は下方へ湾曲すると共に内側へ傾斜し、さらに、両リムを連結する連結部材を設けたことを特徴とする薄型メガネ。
【請求項２】
平坦なフロント部の両側にツルが折畳み出来るように取付けられたメガネにおいて、概略円形レンズ又は概略楕円形レンズの中心から延びる水平基線に対して下方へ傾斜した傾斜線がハーフリムと交わる位置にブローチを設け、該ブローチにはツルを折畳みする継手を取付けると共に、該継手の軸は上記位置におけるハーフリムの接線と平行とし、そして、上記継手に取付けたツルは折畳まれた状態でフロント部と同一面を成してレンズ又はハーフリムに沿って立ち上がって延び、またツルを開いた状態では正面から見た場合に外側へ傾斜し、ツル先端部は下方へ湾曲すると共に内側へ傾斜し、さらに、両ハーフリムを連結する連結部材を設けたことを特徴とする薄型メガネ。
【請求項３】
平坦なフロント部の両側にツルが折畳み出来るように取付けられたメガネにおいて、概略円形レンズ又は概略楕円形レンズの中心から延びる水平基線に対して下方へ傾斜した傾斜線がレンズ外周縁と交わる位置にツルを折畳みする継手を設け、該継手の軸は上記位置におけるレンズ外周縁の接線と平行とし、そして、上記継手に取付けたツルは折畳まれた状態でフロント部と同一面を成してレンズ外周縁に沿って立ち上がって延び、
またツルを開いた状態では正面から見た場合に外側へ傾斜し、ツル先端部は下方へ湾曲すると共に内側へ傾斜し、さらに、両レンズを連結する連結部材を設けたことを特徴とする薄型メガネ。
【発明の詳細な説明】
【技術分野】
【０００１】
本発明は顔から外して持ち歩く際に、胸ポケットに収納出来ることは勿論、本や雑誌に挟むことが出来る薄型メガネに関するものである。
【背景技術】
【０００２】
メガネには色々な形態があり、又多種多様なデザイン・装飾が施されている。そして機能面では長時間にわたって着用していても疲れを感じることがないように、チタンなどの材質が使用されて軽くなっている。又、フロント部にリムを備えることなく、両レンズを連結部材で直接ネジ止めし、レンズ外側にはヨロイをネジ止めした縁なしメガネも多用されている。
【０００３】
図４は一般的なメガネを示しているが、該メガネはフロント部（イ）の両側にツル（ロ）、（ロ）を折畳み出来るように取付けている。そしてフロント部（イ）は両リム（ハ）、（ハ）を連結部材（ニ）にて連結すると共に、両リム（ハ）、（ハ）の外側にはヨロイ（ホ）、（ホ）がロウ付けされて構成し、該ヨロイ（ホ）、（ホ）に上記ツル（ロ）、（ロ）が蝶番（ヘ）、（ヘ）を介して折畳み可能に連結している。そしてリム（ハ）、（ハ）にはレンズ（ト）、（ト）が嵌っている。
【０００４】
図５はメガネを外してツル（ロ）、（ロ）が折畳まれた場合であり、両ツル（ロ）、（ロ）は互いに重なり合っている。そして同図から明らかなように、ツル（ロ）、（ロ）はフロント部（イ）の裏側に折畳まれ、その厚さ寸法Ｍは比較的大きくなる。近眼用のメガネであるならば常に着用しているが、老眼鏡は仕事をする場合、新聞雑誌を読む場合などに着用する為に、メガネケースに入れて常時持ち歩いている。
【０００５】
従って、出来るだけコンパクトであることが必要である。フロント部の縦横寸法は顔に掛ける関係上小さくするには限度があるが、折畳んだ状態の厚さ寸法Ｈを小さくすることで、収容するメガネケースは薄くなる。しかし、従来のメガネでは、フロント部両側に概略Ｌ型をしたヨロイ（ホ）、（ホ）が設けられ、該ヨロイ（ホ）、（ホ）に取付けられたツル（ロ）、（ロ）が該フロント部の裏側に重なり合うように折畳まれる為に、厚さの縮小には限度がある。
【０００６】
実開平１−６４６１６号に係る「薄型メガネ」は、メガネフレームのフロント部上縁の左右端に垂直に枢支軸を設け、該枢支軸によってテンプル（ツル）を枢支している。従って、このメガネはコンパクトに折畳むことが出来、場所を取らずに収納可能であり、持ち運びに便利で特に老眼鏡用として有効である。
【０００７】
実開平５−４５６３５号に係る「折りたたみ式眼鏡」は、折りたたんだ状態がカードのように薄くなり、ワイシャツや洋服などのポケットに入れても該ポケットが膨らまず、財布などの薄いスペースにも収納可能で携帯に便利なメガネである。
【０００８】
そこで、レンズが嵌め込まれた薄板状のフロントが中央でヒンジで連結されて折りたたみ可能であると共に、テンプルも前テンプルと後テンプルからなって折りたたみ可能であり、テンプルを折りたたむと後テンプルがフロントの上端縁に乗るようになる。
【特許文献１】実開平１−６４６１６号に係る「薄型メガネ」
【特許文献２】実開平５−４５６３５号に係る「折りたたみ式眼鏡」
【発明の開示】
【発明が解決しようとする課題】
【０００９】
このように、従来のメガネには上記のごとき問題がある。本発明が解決しようとする課題はこの問題点であり、ツルを折畳んだ際の厚みが薄くなって、胸ポケットに入れたり本に挟み込んで持ち運び出来ると共に、掛け心地が良好な薄型メガネを提供する。
【課題を解決するための手段】
【００１０】
本発明に係る薄型メガネはフロント部の両側にツルを折畳み可能に取付けた形態であるが、該折畳まれるツルはフロント部の裏側に重なり合うことなく、該フロント部の上側に配置され、折畳まれたツルとフロント部は同一面に位置する。フロント部は一平面内に形成され、同じくツルも一平面内に形成される。そして折畳まれたツルはフロント部と同じ平面内に収まる。
【００１１】
上記ツルは両リムの外側に設けたブローチに継手を介して取付けられるが、該ブローチはリムの外側であると共に下側に位置し、ブローチに取付けた継手から湾曲して立ち上がり、その後はほぼ真っ直ぐに延びて先端部は耳に係止出来るように湾曲したモダンを形成している。
【発明の効果】
【００１２】
本発明に係るメガネではツルを折畳んだ場合、フロント部と同一面に収まる為に折畳み状態の厚さが薄くなる。従って、メガネケースの厚さも薄くなって、胸ポケットに入れて持ち歩くことが出来のみならず、本に挟むことができるシオリとして機能する。すなわち、読み終えた箇所に該薄型メガネを外して挟み込み、再度読み始める際にはシオリとして挟んだ薄型メガネを顔に掛けることが出来る。そして、ツルが折畳まれた状態ではフロント部と同一面に収まることから、踏み付けても破損することはない。
【実施例】
【００１３】
図１は本発明に係る薄型メガネを表している実施例であり、フロント部１の両側にはツル２，２が折畳まれて取付けられている。フロント部１は両リム３，３が山形に湾曲した連結部材４にて連結され、リム外側にはブローチ５が設けられて、該ブローチ５のネジを弛めてリムの周長を拡大することでレンズの着脱を可能にしている。そして該ブローチ５には継手６が取付けられて、ツル２は継手６を介して折畳み出来るように連結している。
【００１４】
ところで、上記ブローチ５の構造、及び該ブローチ５に設けた継手６の構造は限定しないことにする。例えば、一般的な蝶番を継手６として採用することも可能である。ツル２の基部は上記継手６に固定されて延びているが、該継手６から上方へ湾曲して立ち上がり、その後、ほぼ真っ直ぐに延び、先端部は滑らかに湾曲してモダン１０を形成し、該モダン先端には概略楕円形の係止片７を設けている。ここで、係止片７の厚さはツル２の太さに相当した薄い楕円形板である。
【００１５】
そして、上記ブローチ５の位置はリム３の外側であるが、下側に位置している。リム３の中心Ｏから水平に延びる基線８に対して、角度θだけ下方へ傾斜した傾斜線９がリム３と交わる位置に該ブローチ５を設けている。ツル２が折畳み可能に連結する継手６の軸はこの位置におけるリム３の接線と平行を成し、その結果、該ツル２を開いた状態では外方向へ傾斜する。ここで、リム３の中心Ｏは縦・横寸法の中間とする。
【００１６】
継手６に取着されたツル２はフロント部１のリム３に沿って上方へ湾曲して立ち上がる形状と成っている為に、該ツル２が折畳まれた状態ではフロント部１と同一面に収まる。そして、フロント部１は湾曲せずに平坦であり、ツル２，２も該フロント部１と同じく平坦面に収まる。しかし、該ツル２を開いた状態では傾斜し、後頭部が抱きかかえられる。
【００１７】
図２は本発明の薄型メガネのツル２を開いた場合の片側半分を表している正面図であり、該ツル２は同図に示すように外方向へ角度αにて傾斜している。これは継手６の軸が鉛直方向に対して角度αだけ傾斜している為である。そして、ツル先端部のモダン１０は下方へ湾曲すると共に、内側へ傾斜して延びている。従って、メガネを掛けた場合には、モダンは耳に掛かると共に、後頭部を抱かかえるようになじむことが出来、着用したメガネは安定し、外れ落ちることはない。
【００１８】
図３はツル２を開いた状態の側面図を表している。継手６がリム３の外下側に設けられていることで、該ツル２を開くことでフロント部１は同図に示すように傾斜する。勿論、普通のメガネの場合もフロント部は多少傾斜しているが、本発明の薄型メガネを構成するフロント部１の傾斜角度は大きく成っている。
【００１９】
フロント部１の傾斜は従来のメガネに比較して大きいが、老眼鏡として新聞・雑誌を読むにはむしろ適している。該メガネのフロント部１には鼻当てパットが備わっておらず、山形に湾曲した連結部材４が鼻の甲に当って支えられるために、フロント部１は比較的下側に位置して支持される。その為にも、フロント部１の傾きが大きい方が新聞・雑誌が読み易くなる。
【００２０】
ただし、本発明は必ずしも老眼鏡に限定するものではなく、ブローチの位置を多少上方に変更することで近眼用のメガネにも適用できる。又、フロント部を鼻に載せて支える手段として上記連結部材を用いることなく、鼻当てパットを取付けることもある。ただし、該鼻当てパットはあくまでもフロント部と同一面に収まる形態としなくてはならない。
【００２１】
ところで、図１に示した薄型メガネはリム３，３を備えた形態であるが、上側半分のハーフリム、又は下側半分のハーフリムを備えたフロント部として構成することもある。さらに、リムを持たないフロント部とすることも出来る。リムを持たないフロント部１ではブローチを必要としない為に、継手６をレンズに直接ネジ止めする。勿論、この場合の継手の位置はレンズ外下側であり、図１に示す位置関係となる。
【図面の簡単な説明】
【００２２】
【図１】ツルが折畳まれた状態の正面図。
【図２】ツルを開いた状態の右側正面図。
【図３】ツルを開いた状態の側面図。
【図４】従来の一般的なメガネ。
【図５】従来メガネのツルが折畳まれた場合。
【符号の説明】
【００２３】
１  フロント部
２  ツル
３  リム
４  連結部材
５  ブローチ
６  継手
７  係止片
８  基線
９  傾斜線
10  モダン
【図１】
0004881265.tif 000002
【図２】
0004881265.tif 000003
【図３】
0004881265.tif 000004
【図４】
0004881265.tif 000005
【図５】
0004881265.tif 000006